(57)【要約】【課題】施工を簡単に行うことができる軒先水切りを提供する。【解決手段】野地板３１と、下方に開口する凸部２１と上方に開口する凹部２２とを交互に有し、野地板３１の上方に設けられ野地板３１より軒側に突出した凹凸屋根材２と、の間に設けられる軒先水切り１であって、野地板３１の軒側端面に沿って当接する当接部１１と、軒樋３２から野地板３１の軒側端面にかかる雨水を軒樋３２に導く当接部１１の下端から下方へ突設される水切り部１２と、当接部１１の上端から棟側へ所定の長さ野地板３１の上面に載置される載置部１３と、載置部１３の棟側端部が軒側へ折り返され、その折り返された箇所から凹凸屋根材２の下端に沿って設けられ、凹凸屋根材２の軒側端面よりも所定の長さ突出しているカバー部１４と、カバー部１４の軒側先端から下方へ行く程軒側へ傾斜し、凹凸屋根材２から流れてくる雨水を軒樋３２に導く導水部１５と、を備えることを特徴とする。【選択図】図１
2014098235.tif 000002
【特許請求の範囲】
【請求項１】
野地板と、下方に開口する凸部と上方に開口する凹部とを交互に有し、前記野地板の上方に設けられ前記野地板より軒側に突出した凹凸屋根材と、の間に設けられる軒先水切りであって、
前記野地板の軒側端面に沿って当接する当接部と、
軒樋から跳ね上がり前記野地板の軒側端面にかかる雨水を前記軒樋に導く前記当接部の下端から下方へ突設される水切り部と、
前記当接部の上端から棟側へ所定の長さ前記野地板の上面に載置される載置部と、
前記載置部の棟側端部が軒側へ折り返され、その折り返された箇所から前記凹凸屋根材の前記凹部の下面に沿って設けられ、前記凹凸屋根材の軒側端面よりも所定の長さ突出しているカバー部と、
前記カバー部の軒側先端から下方へ行く程軒側へ傾斜し、前記凹凸屋根材から流れてくる雨水を軒樋に導く導水部と、を備えることを特徴とする軒先水切り。
【請求項２】
前記カバー部に前記凸部と前記野地板との間に形成される第一通気空間と連通する通気口が設けられることを特徴とする請求項１記載の軒先水切り。
【発明の詳細な説明】
【技術分野】
【０００１】
本発明は、軒先に設けられる軒先水切りに関するものである。
【背景技術】
【０００２】
従来から、建造物の野地板上にスレート等の屋根材が設けられた屋根構造が知られている（例えば特許文献１参照）。しかし、この屋根構造では、野地板と屋根材との間の通気性が良くないという問題があった。そこで、凸部と凹部とを軒方向に交互に有する凹凸屋根材を用い、凸部と野地板との間に通気空間を形成することが考えられた。そして、凹凸屋根材の野地板への固定に、野地板の軒側端部に設けられ、凹凸屋根材の凸部内に挿入されて通気空間の軒側端部を閉塞し面戸として機能する閉塞部が用いられるものが開発された（特願２０１２−２１５６３２）。
【先行技術文献】
【特許文献】
【０００３】
【特許文献１】特開２００２−１６７９２７号公報
【発明の概要】
【発明が解決しようとする課題】
【０００４】
ここで、凹凸屋根材では、図４に示すように、凹凸屋根材の凹部の下面に凹凸屋根材から流れてくる雨水を軒樋に導く導水板５１を取付け、野地板に軒樋から跳ね上がってくる雨水を軒樋に導く水切り板５２を取付けていた。
【０００５】
しかし、導水板５１と水切り板５２は別体に形成されているので、導水板５１と水切り板５２を別々に取付けなければならず、また導水板５１を取付ける際に、凹凸屋根材の軒側先端から導水板５１が突出する長さを調整しなければならず、施工が複雑になってしまっていた。
【０００６】
本発明は上記従来の問題点に鑑みて発明したものであって、その目的とするところは、施工が簡単な軒先水切りを提供することを課題とするものである。
【課題を解決するための手段】
【０００７】
上記課題を解決するために、本発明は、以下のような構成とする。
【０００８】
野地板と、下方に開口する凸部と上方に開口する凹部とを交互に有し、前記野地板の上方に設けられ前記野地板より軒側に突出した凹凸屋根材と、の間に設けられる軒先水切りであって、前記野地板の軒側端面に沿って当接する当接部と、軒樋から跳ね上がり前記野地板の軒側端面にかかる雨水を前記軒樋に導く前記当接部の下端から下方へ突設される水切り部と、前記当接部の上端から棟側へ所定の長さ前記野地板の上面に載置される載置部と、前記載置部の棟側端部が軒側へ折り返され、その折り返された箇所から前記凹凸屋根材の前記凹部の下面に沿って設けられ、前記凹凸屋根材の軒側端面よりも所定の長さ突出しているカバー部と、前記カバー部の軒側先端から下方へ行く程軒側へ傾斜し、前記凹凸屋根材から流れてくる雨水を軒樋に導く導水部と、を備えることを特徴とする。
【０００９】
また、前記カバー部に前記凸部と前記野地板との間に形成される第一通気空間と連通する通気口が設けられることが好ましい。
【発明の効果】
【００１０】
本発明の軒先水切りは、施工を簡単に行うことができる。
【図面の簡単な説明】
【００１１】
【図１】本発明の軒先水切りの側面図である。
【図２】本発明の軒先水切りを野地板に取付けたときの側断面図である。
【図３】本発明の建物の斜視図である。
【図４】従来の野地板の軒側端部を示す側断面図である。
【発明を実施するための形態】
【００１２】
以下、本発明を添付図面に示す実施形態に基いて説明する。
【００１３】
本実施形態の屋根構造は図３に示すように片流れ屋根を有する建物３に適用したものである。以下では、傾斜した屋根面に沿って軒と棟を結ぶ矢印Ｄ１に示す方向を軒棟方向とし、軒に沿う矢印Ｄ２に示す方向を軒方向とする。
【００１４】
建物３の屋根下地は、垂木に野地板３１を設けることで形成されている。野地板３１は棟側から軒側に向かって一様な角度で傾斜している。
【００１５】
野地板３１には凹凸屋根材２が軒方向に複数並べて載置されている。
【００１６】
本実施形態の各凹凸屋根材２は鋼板製である。なお、各凹凸屋根材２は鋼板以外の金属板で形成してもよく、また、その材質は金属に限定されるものではない。凹凸屋根材２は、下方に開口し上方に突出する凸部２１と、上方に開口し下方に凹む凹部２２を有している。凸部２１と凹部２２は軒方向に交互に複数形成されている。各凸部２１の側片部２３は隣接する凹部２２の側片部２３を兼ねている。
【００１７】
野地板３１とこの上に配置された各凹凸屋根材２の間には第一通気空間２４が形成されている。通気空間は凸部２１と野地板３１とで囲まれた空間である。第一通気空間２４は、凹凸屋根材２の軒棟方向における略全長に亘って形成されている。
【００１８】
図３に示されるように複数の凹凸屋根材２で構成される屋根面上に、機能パネルとしての太陽光発電パネル４が設けられている。太陽光発電パネル４は、シリコンを主材料とした半導体素子により太陽光発電エネルギーを電気エネルギーに変換して出力するものである。太陽光発電パネル４は、様々なものが公知となっていて、これらを適宜利用可能である。
【００１９】
図３に示されるように太陽光発電パネル４は複数の凸部２１の上面に跨って載置され、太陽光発電パネル４はボルト等の取付け部材により屋根面上に固定されている。太陽光発電パネル４とこの下方に位置する凹凸屋根材２の間には、太陽光発電パネル４と凹凸屋根材２の凹部２２で囲まれた第二通気空間２５が形成されている。各第二通気空間２５は、太陽光発電パネル４の棟方向における全長に亘って形成されている。太陽光発電パネル４は、周囲の雰囲気温度が高い場合や、直射日光が長時間照射された場合等に、発電素子が高温になって発電効率（変換効率）が低下する恐れがある。しかし、本実施形態では太陽光発電パネル４を第一通気空間２４と第二通気空間２５を流れる外気により冷却することができるので、太陽光発電パネル４の発電効率の低下を抑えることができる。
【００２０】
軒先水切り１は、当接部１１と、水切り部１２と、載置部１３と、カバー部１４と、導水部１５と、から形成されている。なお軒先水切り１は、水切り部１２と、載置部１３と、カバー部１４と、導水部１５と、を溶接等で接続して形成してもよいし、一枚の鋼板をプレス機等で折り曲げて形成してもよい。本実施形態の軒先水切り１は鋼板製である。なお、軒先水切り１は鋼板以外の金属板で形成してもよく、その材質は限定されない。また、軒先水切り１は軒方向の全長に亘って設けられている。
【００２１】
本実施形態では、当接部１１の上下高さは、軒側端面の上下高さと略等しくなっているが、特に限定されない。しかし、当接部１１の上下高さが、野地板３１の軒側端面の上下高さより高い方が、野地板３１の軒側端面の下端から当接部１１を突出させることができる。すると、軒樋３２から跳ね上がる雨水が野地板３１の軒側部分にかかり難くすることができる。
【００２２】
水切り部１２は、当接部１１の下端から下方へ突設されている。本実施形態では、水切り部１２は下方へ行く程軒側へ傾斜するように突設され、軒樋３２から跳ね上がり当接部１１にかかる雨水を軒樋３２に導水しているが、傾斜は限定されない。また水切り部１２の下端部は、水切り部１２の棟側面（裏面）に向かって上方へ折り曲げられている。これは、水切り部１２の下端部が切断面になると、作業者が軒先水切り１を野地板３１に取付ける際に、切断面の角張った縁部が手に当たり怪我をしてしまいかねない。そのため、取付けの際に作業者が怪我をし難いように、水切り部１２の下端部を円弧状にしている。水切り部１２に撥水剤を塗布してもよい。そうすると、水切り部１２では、雨水がより下方へ移動し易くなり、また水切り部１２に水垢や埃等が付着し難くなるので、水切り部１２の表面を汚れにくくすることができる。
【００２３】
載置部１３は、当接部１１の上端から棟側へ所定の長さ設けられている。
【００２４】
カバー部１４は、本実施形態では、載置部１３の棟側端部が軒側へ折り返され、その折り返された箇所から凹凸屋根材２の下端（すなわち凹部２２の下面）に沿って設けられ、凹凸屋根材２の軒側端部よりも所定の長さ突出している。この突出した部分を突出部１４ａとする。突出部１４ａが設けられていることにより、凹凸屋根材２を伝ってきた雨水が突出部１４ａを伝うので、導水部１５へと雨水が伝い易くなる。また、突出部１４ａに撥水剤を塗布してもよい。そうすると、突出部１４ａでは、雨水がより下方へ移動し易くなり、また突出部１４ａに水垢や埃等が付着し難くなるので、突出部１４ａの表面を汚れ難くすることができる。カバー部１４には、凸部２１と野地板３１の間に形成される第一通気空間２４と連通する通気口１４ｂが、カバー部１４の先端部に設けられている。
【００２５】
通気口１４ｂは、複数の孔が設けられて形成されてもよいし、一つの孔が設けられて形成されてもよく、形状と大きさと個数は特に限定されない。ただし、あまりに大きな孔が設けられてしまうと、小動物が第一通気空間２４へと侵入する惧れがあるので、小動物が侵入できない程度の大きさで通気口１４ｂは形成される方が好ましい。通気口１４ｂは第一通気空間２４と連通し、凹凸屋根材２と野地板３１の間の空間の通気性をよくしている。
【００２６】
導水部１５は、カバー部１４の軒側先端から下方へ行く程軒側へ傾斜している。導水部１５の下端部は、導水部１５の棟側面（裏面）に向かって上方へ折り曲げられている。これは、導水部１５の下端部が切断面になると、作業者が軒先水切り１を野地板３１に取付ける際に、切断面の角張った縁部が手に当たり怪我をしてしまいかねない。そのため、取付けの際に作業者が怪我をし難いように、導水部１５の下端部を円弧状にしている。導水部１５に撥水剤を塗布してもよい。そうすると、導水部１５では、雨水がより下方へ移動し易くなり、また導水部１５に水垢や埃等が付着し難くなるので、導水部１５の表面を汚れ難くすることができる。
【００２７】
軒先水切り１の野地板３１への取付け方法は、まず当接部１１を野地板３１の軒側端面に当接させ、載置部１３を野地板３１の上面に載置させる。そして、ビスや釘等の固着具による固着あるいは接着剤による接着によって載置部１３が野地板３１に固定されると、軒側端部に軒先水切り１は取付けられる。
【００２８】
以上のような構成の軒先水切り１が形成されることにより、軒先水切り１は従来のように別体で設けられていないので、施工を一度で済ますことができる。また、軒先水切り１は一体で設けられているので、野地板３１の軒側先端に軒先水切り１の当接部１１を当接させるだけで、カバー部１４の突出部１４ａの突出量を調整することなく所望の状態で軒先水切り１は取付けられる。
【符号の説明】
【００２９】
１    軒先水切り
１１  当接部
１２  水切り部
１３  載置部
１４  カバー部
１４ａ  突出部
１４ｂ  通気口
１５  導水部
２    凹凸屋根材
２１  凸部
２２  凹部
２３  側片部
２４  第一通気空間
２５  第二通気空間
３    建物
４    太陽光発電パネル
５１  導水板
５２  水切り板
【図１】
2014098235.tif 000003
【図２】
2014098235.tif 000004
【図３】
2014098235.tif 000005
【図４】
2014098235.tif 000006